(57)【要約】【課題】制御単位の変更を容易に行うことのできる照明装置を提供すること。【解決手段】ランプ１と、ランプ１を調光点灯させる調光点灯手段２と、を有してなる照明器具３と、明るさセンサ４と、明るさセンサ４からの調光信号を受けて第１の出力ポート５から調光信号を調光点灯手段２に出力して調光点灯手段２を制御する制御部６と、を有してなる第１の制御端末８と、の組み合わせからなる照明装置において、第１の制御端末８は、第２の制御端末８ａからの調光信号を受ける入力ポート９と、第２の制御端末８ａからの調光信号が入力ポート９に入力されない場合には第１の制御端末８の明るさセンサ４の調光信号を所定の照明器具３に出力し、第２の制御端末８ａからの調光信号が入力ポート９に入力される場合には優先的に第２の制御端末８ａからの調光信号を所定の照明器具３に出力する第２の出力ポート１１と、を備える【選択図】        図１
2004259505.tif 000002
【特許請求の範囲】
【請求項１】
ランプと、ランプを調光点灯させる調光点灯手段と、を有してなる照明器具と、明るさセンサと、明るさセンサからの出力を受けて第１の出力ポートから調光信号を調光点灯手段に出力して調光点灯手段を制御する制御部と、を有してなる制御端末と、の組み合わせからなる照明装置において、第１の制御端末は、第２の制御端末からの調光信号を受ける入力ポートと、第２の制御端末からの調光信号が入力ポートに入力されない場合には第１の制御端末の明るさセンサからの出力を受けて調光信号を所定の照明器具に出力し、第２の制御端末からの調光信号が入力ポートに入力される場合には優先的に第２の制御端末からの調光信号を所定の照明器具に出力する第２の出力ポートと、を備えるものであることを特徴とする照明装置。
【請求項２】
前記制御部は、第２の出力ポートからの調光信号の出力をＯＮ／ＯＦＦするものであることを特徴とする請求項１記載の照明装置。
【請求項３】
前記第１の制御端末にリモコンからの調光信号を受けて制御部に調光信号を出力するリモコン受信部を備え、第１の制御端末は、リモコン受信部からの調光信号を受ける場合には、前記明るさセンサの出力にもとづく調光信号よりも、リモコン受信部からの調光信号を優先して第１の出力ポート及び第２の出力ポートから出力し、さらに第２の制御端末から調光信号が入力ポートに入力される場合には、リモコン受信部からの調光信号よりも、第２の制御端末からの調光信号を優先して第２の出力ポートから出力するものであることを特徴とする請求項１又は請求項２記載の照明装置。
【発明の詳細な説明】
【０００１】
【発明の属する技術分野】
本発明は、照明装置、特に調光等の制御機能を有する照明装置に関するものである。
【０００２】
【従来の技術】
この種の照明装置の従来例としては、特開平１１−７４０８８号公報に示されるものがある。このものは、作業面の明るさを検出する明るさセンサと、照明負荷の調光量を制御する調光手段と、明るさセンサにより検出した明るさを目標値に保つように調光手段に照明負荷の調光量を指示する制御手段と、操作スイッチの手操作により調光手段に照明負荷の調光量を指示する調光支持手段と、常時は制御手段による調光量を調光手段に与える定照度モードで動作し、操作スイッチが操作されると調光指示手段による調光量を調光手段に与える照度可変モードで動作する優先制御手段と、優先制御手段に復帰の指示を与えて照度可変モードから定照度モードに復帰させる復帰手段とを備えるものである。この構成によれば、常時は明るさセンサにより検出された明るさを目標値に保つように照明負荷が調光制御され、調光指示手段の操作スイッチを操作したときには、調光量を変化させることができる。
【０００３】
【特許文献１】
特開平１１−７４０８８号公報
【０００４】
【発明が解決しようとする課題】
ところで、オフィスや店舗空間等の照明使用空間においては、従来例のような照明装置を複数設置し、これらを制御単位に分割して制御を行うことがある。一方、この照明使用空間のレイアウト変更は、制御単位に関わらず行われるため、従来例のような照明装置を用いた場合には、レイアウト変更の度に照明装置間の配線工事を行い、制御単位の変更をする必要があった。
【０００５】
本発明は、かかる事由に鑑みてなしたものであり、その目的とするところは、制御単位の変更を容易に行うことのできる照明装置を提供することである。
【０００６】
【課題を解決するための手段】
請求項１記載の発明は、ランプと、ランプを調光点灯させる調光点灯手段と、を有してなる照明器具と、明るさセンサと、明るさセンサからの出力を受けて第１の出力ポートから調光信号を調光点灯手段に出力して調光点灯手段を制御する制御部と、を有してなる制御端末と、の組み合わせからなる照明装置において、第１の制御端末は、第２の制御端末からの調光信号を受ける入力ポートと、第２の制御端末からの調光信号が入力ポートに入力されない場合には第１の制御端末の明るさセンサからの出力を受けて調光信号を所定の照明器具に出力し、第２の制御端末からの調光信号が入力ポートに入力される場合には優先的に第２の制御端末からの調光信号を所定の照明器具に出力する第２の出力ポートと、を備えるものであることを特徴とする。
【０００７】
請求項２記載の発明は、請求項１記載の発明において、前記制御部は、第２の出力ポートからの調光信号の出力をＯＮ／ＯＦＦするものであることを特徴とする
請求項３記載の発明は、請求項１又は請求項２記載の発明において、前記第１の制御端末にリモコンからの調光信号を受けて制御部に調光信号を出力するリモコン受信部を備え、第１の制御端末は、第２の制御端末から調光信号が入力ポートに入力される場合には、リモコン受信部からの調光信号が制御部に入力されても、第２の制御端末からの調光信号を優先して第２の出力ポートより出力するものであることを特徴とする。
【０００８】
【発明の実施の形態】
（第１の実施形態）
第１の実施形態の実施形態を、図１〜図６に基づいて説明する。図１は、本実施形態の照明装置のブロック図である。図２は、照明器具３、第１の制御端末８及び第２の制御端末８ａの組み合わせの第１例を示す図である。図３は、照明器具３と第１の制御端末８と第２の制御端末８ａの組み合わせの第２例を示す図である。図４は、本実施形態のフローを示す図である。図５は、照明器具３、第１の制御端末８及び第２の制御端末８ａの組み合わせの第３例を示す図である。図６は、照明器具３、第１の制御端末８及び第２の制御端末８ａの組み合わせの第４例を示す図である。
【０００９】
本実施形態の照明装置は、図１に示すランプ１と、ランプ１を調光点灯させる調光点灯手段２と、を有してなる照明器具３と、明るさセンサ４と、明るさセンサ４からの調光信号を受けて第１の出力ポート５から調光信号を調光点灯手段２に出力して調光点灯手段２を制御する制御部６と、制御部６に電力を供給する電源部７と、を有してなる第１の制御端末８と、からなり、図２に示すように、第１の制御端末８は、第２の制御端末８ａからの調光信号を受ける入力ポート９と、第２の制御端末８ａからの調光信号が入力ポート９に入力されない場合には第１の制御端末８の明るさセンサ４からの出力を受けて調光信号を所定の照明器具３に出力し、第２の制御端末８ａからの調光信号が入力ポート９に入力される場合には優先的に第２の制御端末８ａからの調光信号を所定の照明器具３に出力する第２の出力ポート１１とを備えている。
【００１０】
ランプ１は、たとえば直管型の蛍光ランプである。調光点灯手段２は、ランプ１に接続されて、ランプ１を調光点灯させるもので、たとえばインバータ回路等を有して、外部からの調光信号により、ランプ１に流れるランプ電流を調整することにより調光点灯させるものである。照明器具３は、ランプ１を保持し、調光点灯手段２を収納する筐体であり、鉄板等の材料を用いて形成されている。明るさセンサ４は、たとえばフォトトランジスタ等により、照明器具３の周囲の明るさを電気量に変換して出力するものである。
【００１１】
制御部６は、マイコンからなり、第２の制御端末８ａからの調光信号が入力ポート９から入力されない場合には第１の制御端末８の明るさセンサ４の出力に対応する調光信号を第１の出力ポート５及び第２の出力ポート１１に出力し、第２の制御端末８ａからの調光信号が入力ポート９に入力される場合には優先的に第２の制御端末８ａからの調光信号を第２の出力ポート１１に出力するもので、電源部７、明るさセンサ４、第１の出力ポート５、入力ポート９及び第２の出力ポート１１に接続されている。
【００１２】
また、照明器具３、第１の制御端末８及び第２の制御端末８ａは、図２に示すような組み合わせで接続され、制御単位１２ａ、１２ｂを構成している。すなわち、第２の制御端末８ａの第１の出力ポート５には、４台の照明器具３が接続されている。そして、第２の制御端末８ａの第２の出力ポート１１近傍には、第１の制御端末８の入力ポート９に接続された配線１６が、第２の制御端末８ａの第２の出力ポート１１の近傍まで施されているものの、第２の制御端末８ａの第２の出力ポート１１には接続されていない。また、第１の制御端末８の第１の出力ポート５には、２台の照明器具３が接続されており、第１の制御端末８の第２の出力ポート１１にも２台の照明器具３が接続されている。
【００１３】
つぎに本実施形態の基本動作について図１を用いて説明する。ランプ１は、調光点灯手段２から電力の供給を受けて点灯、発光する。明るさセンサ４は、ランプ１の光出力を受け、光出力に相当する電気量を制御部６に出力する。制御部６は、入力ポート９に第２の制御端末８ａからの調光信号が入力されない場合には、明るさセンサ４からの出力を受け、光出力が予め設定された目標値となるように第１の出力ポート５及び第２の出力ポート１１から調光信号を調光点灯手段２に出力して調光制御を行う。
【００１４】
つぎに、図２に示される制御単位１２ａ及び１２ｂにおける動作について説明する。第２の制御端末８ａの第１の出力ポート５からは、第２の制御端末８ａの明るさセンサ４（図２において図示は省略）の出力に対応する調光信号が出力され、第１の出力ポート５に接続される４台の照明器具３は調光制御される。また、第１の制御端末８の第１の出力ポート５からは、第１の制御端末８の明るさセンサ４（図２において図示は省略）の出力に対応する調光信号が出力され、第１の出力ポート５に接続される２台の照明器具３が調光制御される。そして同時に、第１の制御端末８の第２の出力ポート１１からも、第１の制御端末８の明るさセンサ４の出力に対応する調光信号が出力され、第１の制御端末８の第２の出力ポート１１に接続される２台の照明器具３が調光制御される。すなわち、第２の制御端末８ａ、第１の制御端末８ともに４台の照明器具３を調光制御することにより、制御単位１２ａ、及び制御単位１２ｂで調光制御が行われる。
【００１５】
つぎに、図３に示すように、第２の制御端末８ａの第１の出力ポート５に接続される４台の照明器具３及び第１の制御端末８の第２の出力ポート１１に接続される２台の照明器具３からなる制御単位１２ｃと、第１の制御端末８の第１の出力ポート５に接続される２台の照明器具３からなる制御単位１２ｄで照明器具３を制御する場合には、第１の制御端末８の入力ポート９に接続された配線１６を、第２の制御端末８ａの第２の出力ポート１１に接続する。
【００１６】
この状態において、第２の制御端末８ａの第１の出力ポート５からは、第２の制御端末８ａの明るさセンサ４（図２において図示はしない）の出力に対応した調光信号が出力され、第２の制御端末８ａの第１の出力ポート５に接続される４台の照明器具３は調光制御される。また、第１の制御端末８の入力ポート９には、第２の制御端末８ａからの調光信号が入力され、第１の制御端末８の第２の出力ポート１１からは、第２の制御端末８ａからの調光信号が出力される。これにより、第１の制御端末８の第２の出力ポート１１に接続される２台の照明器具３は、第２の制御端末８ａにより調光制御される。また、第１の制御端末８の第１の出力ポート５からは、第１の制御端末８の明るさセンサ４の出力に対応した調光信号が出力され、第１の制御端末８の第１の出力ポート５に接続される２台の照明器具３が調光制御される。すなわち、第２の制御端末８ａは６台の照明器具３からなる制御単位１２ｃを、第１の制御端末８は２台の照明器具３からなる制御単位１２ｄを調光制御するのである。以上の動作を図４のフローを用いて説明すると、第１の制御端末８の入力ポート９に第２の制御端末８ａからの調光信号が入力されない場合には、第１の制御端末８の明るさセンサ４の出力に対応する調光信号によって調光制御され、第１の制御端末８の第１の出力ポート５及び第２の出力ポート１１からは、第１の制御端末８の明るさセンサ４の出力に対応する調光信号が出力される。また、第１の制御端末８の入力ポート９に第２の制御端末８ａからの調光信号が入力される場合には、第１の制御端末８の第１の出力ポート５からは、第１の制御端末８の明るさセンサ４の出力に対応する調光信号が出力される。また、第１の制御端末８の第２の出力ポート１１からは、第２の制御端末８ａからの調光信号、すなわち入力ポート９に入力される調光信号が出力される。
【００１７】
以上の動作により、予め予測されるレイアウトに対応した配線工事を行い、レイアウトの変更があった場合には、第２の出力ポート１１の接続を変更するのみで、特段の配線工事を行うことなくレイアウトに対応した制御単位の変更を容易に行うことができるのである。
【００１８】
また、図５に示すように照明器具３、第１の制御端末８及び第２の制御端末８ａを接続してもよい。すなわち、第１の制御端末８の第１の出力ポート５、第２の出力ポート１１には、各１台の照明器具３が接続されている。第２の制御端末８ａの第１の出力ポート５には、２台の照明器具３が接続されている。また、第２の制御端末８ａの第２の出力ポート１１には照明器具３は接続されていないが、第１の制御端末８の入力ポート９に接続されている配線１６が第２の制御端末８ａの第２の出力ポート１１近傍にまで施されている。
【００１９】
この接続において、第２の制御端末８ａの第１の出力ポート５からは、第２の制御端末８ａの明るさセンサ４（図２において図示は省略）の出力に対応する調光信号が出力され、第１の出力ポート５に接続される２台の照明器具３は調光制御される。また、第１の制御端末８の第１の出力ポート５及び第２の出力ポート１１からは、第１の制御端末８の明るさセンサ４（図３において図示は省略）の出力に対応する調光信号が出力され、第１の制御端末８の第１の出力ポート５に接続される１台の照明器具３及び第２の出力ポート１１に接続される各１台の照明器具３が調光制御される。すなわち、第２の制御端末８ａは２台の照明器具３で構成される制御単位１２ｆを制御し、第１の制御端末８は、２台の照明器具３で構成される制御単位１２ｅを制御するのである。
【００２０】
また、図６に示すように第１の制御端末８の第１の出力ポート５に接続される１台の照明器具３からなる制御単位１２ｈ、第１の制御端末８の第２の出力ポート１１に接続される１台の照明器具３及び第２の制御端末８ａの第１の出力ポート５に接続される２台の照明器具３からなる制御単位１２ｇで照明器具３を制御する場合には、第１の制御端末８の入力ポート９に接続された配線１６を第２の制御端末８ａの第２の出力ポート１１に接続する。この接続では、第２の制御端末８ａの第１の出力ポート５からは、第２の制御端末８ａの明るさセンサ４（図２において図示は省略）の出力に対応した調光信号が出力され、第１の出力ポート５に接続される２台の照明器具３は調光制御される。また、第２の制御端末８ａの第２の出力ポート１１から出力される調光信号は、第１の制御端末８の入力ポート９に入力され、第１の制御端末８の第２の出力ポート１１からは、第２の制御端末８ａが出力する調光信号が出力される。これにより、第１の制御端末８の第２の出力ポート１１に接続される１台の照明器具３及び第２の制御端末８ａの第１の出力ポート５に接続される２台の照明器具３からなる制御単位１２ｇで照明器具３を制御する。また、第１の制御端末８の第１の出力ポート５からは、第１の制御端末８の明るさセンサ４（図２において図示は省略）の出力に対応した調光信号が出力される。これにより、制御単位１２ｈで照明器具３が制御される。
【００２１】
（第２の実施形態）
第２の実施形態の実施形態を、図７及び図８に基づいて説明する。図７は、第２の実施形態の照明装置のブロック図である。図８は、本実施形態のフローを示す図である。本実施形態は、第１の実施形態にリモコン受信部１４と外部接点ポート１５を備えたものであり、他は第１の実施形態と同じである。
【００２２】
リモコン受信部１４は、第１の制御端末８にリモコン（図示はしない）からの信号を受けて第２の出力ポート１１の接続を制御部６の内部でＯＮ／ＯＦＦするよう制御部６に信号を出力するもので、制御部６に接続されている。
【００２３】
外部接点ポート１５は、外部接点（図示はしない）に接続され、外部接点のＯＮ／ＯＦＦにより第２の出力ポート１１の接続をＯＮ／ＯＦＦするもので、同じく制御部６に接続されている。
【００２４】
つぎに、動作について図２及び図８に基づいて説明する。図２に示す第１の制御端末８に接続される４台の照明器具３は、初期において第１の制御端末８の明るさセンサ４の出力に対応するように制御される。その後、リモコンからの信号により第２の出力ポート１１の接続がＯＦＦとなった場合には、第２の出力ポート１１から調光信号が出力されなくなる。そして、リモコンから第２の出力ポート１１の接続をＯＮする信号が出力され、且つ外部接点ポート１５に接続された外部接点がＯＮ状態においても第２の出力ポート１１から調光信号が出力されなくなる。すなわち、図２に示す構成と等しくなり、第２の制御端末８ａは制御単位１２ａを、第１の制御端末８は制御単位１２ｂを調光制御する。
【００２５】
つぎに、リモコンから第２の出力ポート１１の接続をＯＮにする信号が出力され、外部接点ポート１５に接続された外部接点がＯＦＦとなる状態では、入力ポート９に調光信号が入力されると、第２の出力ポート１１からは、入力ポート９に入力された調光信号が出力される。すなわち、図３に示す構成と等しくなり、第２の制御端末８ａは制御単位１２ｃを、第１の制御端末８は制御単位１２ｄを調光制御する。また、入力ポート９に調光信号が入力されない場合には、第１の制御端末８の明るさセンサ４の出力に対応するように制御される。
【００２６】
（第３の実施形態）
第３の実施形態の実施形態を、図９に基づいて説明する。図９は、本実施形態のフローを示す図である。本実施形態は、第２の実施形態と構成が同じであるが、リモコン受信部１４が調光信号をも出力する点が異なる。
【００２７】
すなわち、図９（ａ）に示すフローのように、第１の制御端末８の入力ポート９に調光信号が入力されない場合には、第１の制御端末８の第１の出力ポート５、第２の出力ポート１１ともに明るさセンサ４からの出力に対応した調光信号を出力する。そして、その後リモコンから調光信号が、リモコン受信部１４に送信された場合には、第１の出力ポート５、第２の出力ポート１１ともにリモコンからの調光信号に基づいて制御を行う。また、第１の制御端末８の入力ポート９に調光信号が入力される場合には、第１の制御端末８の第１の出力ポート５は、明るさセンサ４からの出力に対応する調光信号を出力する。また、第１の制御端末８の第２の出力ポート１１は、入力ポート９に入力された調光信号をそのまま出力する。すなわち、第１の制御端末８は、リモコン受信部１４からの調光信号を受ける場合には、前記明るさセンサ４の出力にもとづく調光信号よりも、リモコン受信部１４からの調光信号を優先して第１の出力ポート５及び第２の出力ポート１１から出力し、さらに第２の制御端末８ａからの調光信号が入力ポート９に入力される場合には、リモコン受信部１４からの調光信号よりも、第２の制御端末８ａからの調光信号を優先して第２の出力ポート１１から出力するのである。
【００２８】
以上により、たとえば、図３に示す照明器具３、第１の制御端末８及び第２の制御端末８ａの組み合わせにおいて、第１の制御端末８の入力ポート９に調光信号が入力される状態で、第１の制御端末８内のリモコン受信部１４（図３において図示はしない）にリモコンから調光信号が入力されても、第１の制御端末８の第１の出力ポート５に接続された照明器具３は、入力ポート９に入力される調光信号によって調光制御されるので、制御単位１２ｃで調光制御を行うことができる。すなわち、リモコンによる調光信号でランプ１を調光する場合においても、第２の制御端末８ａからの調光信号を優先させることにより、制御単位での調光度が不均一になるという不具合を抑えることができる。
【００２９】
【発明の効果】
請求項１記載の発明は、ランプと、ランプを調光点灯させる調光点灯手段と、を有してなる照明器具と、明るさセンサと、明るさセンサからの出力を受けて第１の出力ポートから調光信号を調光点灯手段に出力して調光点灯手段を制御する制御部と、を有してなる制御端末と、の組み合わせからなる照明装置において、第１の制御端末は、第２の制御端末からの調光信号を受ける入力ポートと、第２の制御端末からの調光信号が入力ポートに入力されない場合には第１の制御端末の明るさセンサからの出力を受けて調光信号を所定の照明器具に出力し、第２の制御端末からの調光信号が入力ポートに入力される場合には優先的に第２の制御端末からの調光信号を所定の照明器具に出力する第２の出力ポートと、を備えるものであるようにしたので、予め制御単位の変更を想定して配線工事を行い、第２の制御端末の第２の出力ポートの出力を接続又は開放することで、制御単位の変更を容易に行うことができる。
【００３０】
請求項２記載の発明は、請求項１記載の発明において、前記制御部は、第２の出力ポートからの調光信号の出力をＯＮ／ＯＦＦするものであるようにしたので、第２の制御端末の第２の出力ポートの出力の接続又は開放を容易に行うことができる。
【００３１】
請求項３記載の発明は、請求項１又は請求項２記載の発明において、前記第１の制御端末にリモコンからの調光信号を受けて制御部に調光信号を出力するリモコン受信部を備え、第１の制御端末は、第２の制御端末から調光信号が入力ポートに入力される場合には、リモコン受信部からの調光信号が制御部に入力されても、第２の制御端末からの調光信号を優先して第２の出力ポートより出力するものであるようにしたので、リモコンによる調光信号でランプ１を調光する場合においても、第２の制御端末８ａからの調光信号を優先させることにより、制御単位での調光度が不均一になるという不具合を抑えることができる。
【図面の簡単な説明】
【図１】第１の実施形態の照明装置のブロック図である。
【図２】第１の実施形態における照明器具３、第１の制御端末８及び第２の制御端末８ａの組み合わせの第１例を示す図である。
【図３】第１の実施形態における照明器具３と第１の制御端末８と第２の制御端末８ａの組み合わせの第２例を示す図である。
【図４】第１の実施形態のフローを示す図である。
【図５】照明器具３、第１の制御端末８及び第２の制御端末８ａの組み合わせの第３例を示す図である。
【図６】照明器具３、第１の制御端末８及び第２の制御端末８ａの組み合わせの第４例を示す図である。
【図７】第２の実施形態の照明装置のブロック図である。
【図８】第２の実施形態のフローを示す図である。
【図９】第３の実施形態のフローを示す図である。
【符号の説明】
１    ランプ
２    調光点灯手段
３    照明器具
４    明るさセンサ
５    第１の出力ポート
６    制御部
７    電源部
８    第１の制御端末
８ａ  第２の制御端末
９    入力ポート
１１  第２の出力ポート
【図１】
2004259505.tif 000003
【図２】
2004259505.tif 000004
【図３】
2004259505.tif 000005
【図４】
2004259505.tif 000006
【図５】
2004259505.tif 000007
【図６】
2004259505.tif 000008
【図７】
2004259505.tif 000009
【図８】
2004259505.tif 000010
【図９】
2004259505.tif 000011